(57)【要約】【課題】  接触面積が十分に確保できない限られた分岐スペースであっても分岐側の容量に適合し、過熱状態を回避することのできる分岐用プラグイン接触子及びそれを用いたバスダクト接続部の分岐構造を得ること。【解決手段】  被接続体２０に接触する接触部１２ｂと、接触部１２ｂよりも断面積及び断面周囲長の双方又は一方を大きく形成し接触部１２ｂよりも電流容量を大きくした拡大部１２ａとを設けている。被接続体２０に接触する接触部１２ｂよりも断面積及び／又は断面外周長の大きい拡大部を有するため、接触のためのスペースが小さく、接触面積が小さい場合であっても、接触部１２ｂで発生した熱を、拡大部１２ａを伝って逃がすことが可能となる。これにより、接触部の接触面積に対して分岐側の容量が大きい場合であっても支障なく分岐を行うことができる。【選択図】  図２
2005229750.tif 000002
【特許請求の範囲】
【請求項１】
被接続体に接触する接触部と、該接触部よりも断面積及び断面周囲長の双方又は一方を大きく形成して前記接触部よりも電流容量を大きくした拡大部と、を有することを特徴とする分岐用プラグイン接触子。
【請求項２】
前記拡大部は、その電流容量が、分岐側の電流容量よりも大きくなるように前記断面積及び断面周長の設定を行ったことを特徴とする請求項1記載の分岐用プラグイン接触子。
【請求項３】
前記接触部と前記拡大部は同一部材にて一連に形成されていることを特徴とする請求項１又は２記載の分岐用プラグイン接触子。
【請求項４】
内部に導体を装填したバスダクト相互を接続するバスダクト接続部から分岐を行うためのバスダクト分岐構造において、
請求項１から３に記載の分岐用プラグイン接触子の前記接触部をバスダクト接続部の前記導体又はその通電部分に接触させて分岐を行うようにしたことを特徴とするバスダクト分岐構造。
【請求項５】
前記バスダクト相互の接続は、導体相互を所定間隔をもってつき合わせ、それら導体を両側面から導電性接続部材にて挟むことによって行われ、
前記接触部の接触は、前記つき合わされた導体相互間の位置で前記導電性接続部材に対して行われることを特徴とする請求項４に記載のバスダクト分岐構造。
【発明の詳細な説明】
【技術分野】
【０００１】
本発明は分岐用プラグイン接触子、特に被接続体に付勢力を与えつつ接触接続され、その接続部から伸長する分岐ラインの基端となる分岐用プラグイン接触子、及びこれを用いたバスダクト接続部の分岐構造に関する。
【背景技術】
【０００２】
従来の分岐用プラグイン接触子としては、特許文献１の様に、２つの対向する接触片（１２）間にばね片（２０）を介在させ、その２つの接触片（１２）を上部位置で固定し、下部側の接触部（１１）を上記ばね片（２０）の付勢力で互いに離間する方向に付勢した構造が開示されている。この分岐用プラグイン接触子の接触部（１１）を被接続体間に圧入する技術が開示されている。
【０００３】
【特許文献１】特開平１１−２６２１４２号公報
【発明の開示】
【発明が解決しようとする課題】
【０００４】
しかし、接続スペースを十分に確保でき、分岐用プラグイン接触子のサイズや形状を任意に設定できるような場合は上記特許文献１の技術でも問題ないが、接続スペースが十分でなく、被接続体と接触子の接触部との接触面積に制限がある場合、分岐側の容量によっては支障が生じる。例えば、大きな分岐側の容量に対して接触面積を十分に大きく確保できない場合、接触子自体が過熱状態となるという不具合が生じる。
【０００５】
また、例えば、バスダクトの接続部における分岐の場合、バスダクト内の接続される導体相互の間での分岐接続が要請され、狭いスペースで確実な分岐接続が必要となる。このようなバスダクトの接続部における分岐用プラグイン接触子として使用する場合、分岐容量に応じて接触面積を十分に確保しようとすると、分岐を行うバスダクト接続部自体が大型化又は複雑化してしまうという不具合も生じる。
【０００６】
本発明は、上記不具合を解消するものであって、その目的は、接触面積が十分に確保できない限られたスペースでの分岐接続を行う場合であっても分岐側の容量に適合し、過熱状態を回避することのできる分岐用プラグイン接触子及びそれを用いたバスダクト接続部の分岐構造を提供することにある。
【課題を解決するための手段】
【０００７】
上記目的を達成するための請求項１に係る分岐用プラグイン接触子は、
被接続体に接触する接触部と、該接触部よりも断面積及び断面周囲長の双方又は一方を大きく形成し前記接触部よりも電流容量を大きくした拡大部と、を有することを特徴としている。
【０００８】
被接続体に接触する接触部よりも断面積及び／又は断面周囲長の大きい拡大部を有するため、接触のためのスペースが小さく、接触面積が小さい場合であっても、接触部で発生した熱を、拡大部を伝って逃がすことが可能となる。すなわち、接触部の幅を狭く形成して小スペースでの接触を可能としている状況であっても、接触子の非接触部には拡大部が存するので良好な放熱が可能であり、過度の発熱が抑制される。これにより、接触部の接触面積に対して分岐側の容量が大きい場合であっても支障なく分岐を行うことが可能となる。換言すれば、限られた接触箇所でより大きな容量の分岐を行うことができる。
【０００９】
なお、接触子の発熱は電流量に影響を受けるが、直流電流の場合にはその断面積が、交流電流の場合には周囲長さが重要な影響を与える。したがって、本発明では、拡大部は断面積及び断面外周長の双方又は一方を大きく形成することとしている。
【００１０】
請求項２に係る分岐用プラグイン接触子は、
前記拡大部は、その電流容量が、分岐側の電流容量よりも大きくなるように前記断面積及び断面外周長設定をしたことを特徴としている。この様に、分岐側の電流容量を予め把握して拡大部の断面積及び断面外周長を設定することにより、より確実に分岐用プラグイン接触子での発熱の防止が達成される。
【００１１】
請求項３に係る分岐用プラグイン接触子は、
前記接触部と前記拡大部は同一部材にて一連に形成されていることを特徴としている。したがって、シンプルな構成で低価格で製造することができる。
【００１２】
請求項４に係るバスダクト分岐構造は、
内部に導体を装填したバスダクト相互を接続するバスダクト接続部から分岐を行うためのバスダクト分岐構造において、請求項１から３に記載の分岐用プラグイン接触子の前記接触部をバスダクト接続部の前記導体又はその通電部分に接触させて分岐を行うようにしたことを特徴としている。これにより、バスダクト接続部における分岐において、分岐用プラグイン接触子の接触スペースの拡張が抑制され、バスダクト接続部の大型化が抑制される。
【００１３】
請求項５に係るバスダクト分岐構造は、
前記バスダクト相互の接続は、導体相互を所定間隔をもってつき合わせ、それら導体を両側面から導電性接続部材にて挟むことによって行われ、前記接触部の接触は、前記つき合わされた導体相互間の位置で前記導電性接続部材に対して行われることを特徴としている。これにより、導体つき合わせ式のバスダクト接続部において、導体相互間の限られた空間にて接触子の接触を行う場合でも分岐側の電流容量に幅広く対応することができる。すなわち、分岐部での過度な発熱を有効に防止しつつ狭い接触スペースで分岐を行うことが可能である。
【発明の効果】
【００１４】
本発明の分岐用プラグイン接触子によれば、接触面積が十分に確保できない場所であっても分岐側の容量に対応することができ、接続状態で接触子自体が過熱状態になることを有効に防止することができる。特に、バスダクトの接続部における分岐を行う場合、バスダクト接続部の大型化及び構造の複雑化を抑制しつつ分岐側の容量に対応した分岐が可能となり、これまで困難であった分岐容量における分岐を同様の接続スペースで行うことが可能となり、バスダクトの分岐の許容範囲拡大に貢献することができる。
【発明を実施するための最良の形態】
【００１５】
本願発明の最良の実施の形態について説明する。最良の実施の形態に係る分岐用プラグイン接触子は、２枚の平板状の接触子構成板と、この接触子構成板の間に挟まれる同じく板状のバネ部材とを有し、バネ部材を挟んだ状態で２枚の接触子構成板の一端寄り位置を固定することで構成される。上記各接触子構成板は、他端部に平面視で幅の狭く形成された接触部とこの接触部に連続する部分であって同じく平面視で幅を大きく形成した拡大部とを有している。
【００１６】
また、接触部の先端から上方に向かって切り欠き部が形成されており、バネ部材にもこの切り欠き部に対応して同様に切り欠き部が形成されている。この切り欠き部により２分割された接触部はそれぞれ独自に被接続体に付勢力を与えつつ接触するのでその接触状態はより的確なものとなる。
【００１７】
上記のような好適な分岐用プラグイン接触子は、その幅細の接触部が、対向配置された被接続体間に挿入される。そして、接触部は被接続体に付勢力を与えつつ接触している。このとき接触部に連続する拡大部は被接続体とは接触しない位置に存在している。すなわち、外方に露出している。
【００１８】
以上の構成によれば、接触部とは幅細であり、被接続体との接触面積は小さいが、それに連続する拡大部はその断面積、外周長さは大きくなっている。したがって、分岐側の容量が大きく、細い接触部の接触面積では不十分であり、その部分に発熱が生じている場合であっても拡大部では許容範囲であることから、発熱することがない。したがて、接触部にて発生した熱は、拡大部に伝わり、そこで放熱されることとなる。その結果として、接触部の熱上昇を抑制することができ、大容量の分岐が可能となる。
【実施例１】
【００１９】
以下、図面に基づいて本発明の実施例について詳細に説明する。図１及び図２は本発明に係る分岐用プラグイン接触子１０の第１実施例を示しており、図１（Ａ）〜（Ｄ）は分岐用プラグイン接触子１０の構成を示す図であり、この第１実施例は、所定間隔を置いて対向配置された被接続体２０の間に挿入して設置される形式の分岐用プラグイン接触子である。
【００２０】
図１（Ａ）は正面図、（Ｂ）は右側面図、（Ｃ）は同図（Ａ）のＡ−Ａ断面図、（Ｄ）は同図（Ａ）のＢ−Ｂ断面図であり、そこに示すように、本発明の分岐用プラグイン接触子１０は均一な厚さを有する略平板状に形成されている。好適には熱伝導率が高く、且つ導電率の高い銅製からなる一対の接触子構成板１２を対向配置し、この接触子構成板１２相互間にばね片１４を介在させ、これらを上部にて固定部材である両面テープ１６により接着してなる構成である。なお、固定部材としてはボルトやリベットを用いることも可能である。
【００２１】
各接触子構成板１２は、図１（Ａ）から理解されるように接触１２ｂと拡大部１２ａとを有している。拡大部１２ａは接触部１２ｂよりも断面積及び断面周囲長さを大きく形成したものであり、同図（Ｃ）及び（Ｄ）にそれらの断面形状が示されている。接触部１２ｂは拡大部１２ａの下端部にそこから延設されて設けられている。この接触部１２ｂの下端には後述する被接続体２０への挿入動作を容易にするためのテーパ状のガイド部１２ｃが形成されている。更に、接触部１２ｂの下端の正面視略中央から上方に向かって、拡大部１２ａ内まで伸長するスリット１８が形成されており、後述する被接続体２０への挿入の容易化及び接触を良好に保つ機能が付加されている。
【００２２】
ばね片１４は、薄板状に形成され同図（Ｂ）に示すように接触子構成板１２相互間に挟まれ、接触子構成板１２の接触部１２ｂの部分に正逆方向にわん曲して形成された付勢部１４ａを有し、この付勢部１４ａにより接触子構成板１２の対向する接触部１２ｂをそれぞれ外方へ付勢する力を与えている。また、図上表示されていないが、接触子構成板１２と同様にばね片１４にもその下端から上方に向かって、接触子構成板１２のそれと対応する位置にスリットが設けられ、ばね片１４の付勢力を確実に接触部１２ｂ毎に作用させる構成となっている。
【００２３】
図２は、分岐用プラグイン接触子１０の被接続体２０への接触動作を示す図である。上記構成からなる分岐用プラグイン接触子１０を被接続体２０相互間に挿入する場合、図２（Ａ）に示すように、分岐用プラグイン接触子１０の下端であるガイド部１２ｃ側から挿入される。ガイド部１２ｃの先端間の幅は、被接続体２０相互間の距離よりも小さくなっているため、そのテーパ面に沿って容易に挿入を行うことができ、挿入時には同図（Ｂ）に示したように接触部１２ｂのみが被接続体２０に接触する状態となる。
【００２４】
挿入動作時には、被接続体２０の上端がガイド部１２ｃに当たり、その後、接触部１２ｂが内方へ曲げられようとする力をばね片１４により支えることとなり、結果的にばね片１４が接触子構成板１２を外方へ押圧し、且つ接触子構成板１２が被接続体２０を外方へ付勢することとなる。以上の構成により、被接続体２０と接触子構成板１２の接触部１２ｂが良好に接触状態を保つこととなる。
【００２５】
以上のように、分岐用プラグイン接触子１０にて分岐を行うと、例えば被接続体２０から分岐される電流容量が接触部１２ｂの接触面積では対応でない容量である場合、すなわち接触部１２ｂの断面積や周囲長が小さく、分岐側の容量に十分に対応できず、接触部１２ｂに熱が発生するような状況の場合であっても接触部１２ｂに連続して形成された拡大部１２ａは、接触部１２ｂよりも大きな断面積、断面周囲長を有している（本実施例では２倍以上の大きさ）ので、拡大部１２ａの存在により、分岐容量に十分に対応することができる。すなわち、拡大部１２ａでの熱の発生は生じないことから、接触部１２ｂで熱が発生したとしても拡大部１２ａでこの熱を吸収でき、接触部１２ｂから拡大部１２ａに伝わった熱はそこで放熱されることとなる。従って、接触のためのスペースが限られているため接触部１２ｂが小さく形成されている場合であっても、拡大部１２ａの存在により、接触部１２ｂで対応できる容量を越える分岐容量に対応することができる。
【００２６】
また、本実施例の構成では、別途部材を追加することなく同一の部材にて一連に全体を形成していることから、安価な製造費で好適な分岐用プラグイン接触子を容易に提供することができる。
【実施例２】
【００２７】
次に、図３及び図４に基づいて、本発明の第２実施例について説明する。図３は分岐用プラグイン接触子３０の構成を示す図であり、２つの被接続体２０の間に挿入されるのではなく、１つの被接続体２０を接触部で狭持する形式の分岐用プラグイン接触子を示している。
【００２８】
図３の（Ａ）は正面図、（Ｂ）は右側面図、（Ｃ）は一方の接触子構成板に関する同図（Ａ）のＡ−Ａ断面図、及び（Ｄ）は同図（Ａ）のＢ−Ｂ断面図であり、図示のように、本実施例の分岐用プラグイン接触子３０は略平板状に形成されている。材質等は図１の実施例と同様である一対の接触子構成板３２を対向配置し、これを上部にてリベットなどの固定手段３４により結合している。
【００２９】
各接触子構成板３２は、３図（Ａ）から理解されるように上部側に接触部３２ｂよりも断面積及び外周長さを大きくした拡大部３２ａを有している。この正面視面積の大きい拡大部３２ａの下端部にそこから延設された接触部３２ｂが存在している。この接触部３２ｂは同図（Ｂ）から理解されるように、外方に凸となるように湾曲しており、この構成により両接触部３２ｂ間に安定的に付勢力を与えつつ被接続体を挟持できるようにしている。
【００３０】
同図（Ｃ）に示した様に拡大部３２ａの断面積及び外周長さは、同図（Ｄ）に示した接触部３２ｂの断面積及び外周長さよりも大きく形成されている。この接触部３２ｂの下端には後述する被接続体２０の挟持挿入動作を容易にするためのテーパ状のガイド部３２ｃが形成されている。更に、接触部３２ｂの下端の正面視略中央から上方に向かって、拡大部３２ａまで伸長するスリット３６が形成されており、後述する被接続体２０の挟持動作の容易化及び接触状態の良好化が図られている。
【００３１】
図４は、分岐用プラグイン接触子３０を被接続体２０に接続させるための動作を示している。同図（Ａ）のように、分岐用プラグイン接触子３０を接触部３２ｂ側から図上下方に下げていく。この動作により、接触部３２ｂの先端のガイド部３２ｃのテーパ面が被接続体２０に衝突し、そのまま外方へ開きつつ同図（Ｂ）に示したような状態まで下降される。この状態では接触部３２ｂは被接続体２０により押し広げられた状態となっており、すなわち、被接続体２０を付勢力をもって挟持した状態となっている。したがって、接触部３２ｂと被接続体２０との電気的接続が安定した状態となっている。
【００３２】
以上の構成により、分岐用プラグイン接触子３０にて分岐を行うと、例えば被接続体２０から分岐される側の電流容量が接触部３２ｂに対して大きい場合、すなわち接触部３２ｂの断面積や周囲長が小さく、分岐側の容量に十分に対応できず接触部３２ｂに熱が発生する状況であっても、接触部３２ｂに連続して形成された拡大部３２ａは、接触部３２ｂよりも大きな断面積、周囲長を有するので（本実施例では約３倍の大きさ）、分岐容量に十分に対応することができ、拡大部３２ａでの熱の発生しないこととなり、接触部３２ｂで発生した熱を拡大部３２ａで確実に放熱させることが可能となる。従って、接触のためのスペースが限られているため接触部３２ｂが小さく形成されている場合であっても、拡大部３２ａの存在により、接触部３２ｂの容量を越える分岐容量に対応することができる。このように、第１の実施例と同様に、部材の追加を伴うことなく全体を形成することができ、安価な製造費で好適な分岐用プラグイン接触子を容易に提供することができる。
【００３３】
以上のように、本実施例から明らかなように、第１実施例の分岐用プラグイン接触子１０とは異なる形式の被接続体を狭持する分岐用プラグイン接触子３０であっても、第１実施例と同様の効果を発揮することとなる。
【実施例３】
【００３４】
次に、第１実施例の分岐用プラグイン接触子１０をバスダクト相互の接続部において分岐を形成するために使用する場合の例を示す。まず、図５は、バスダクト４０−１と他のバスダクト４０−２との接続部を示す図であり、同図（Ａ）は一部切断平面図、同図（Ｂ）は正面図である。
【００３５】
図５に示したように、本実施例のバスダクト４０は、３線の導体４２をハウジングで被覆してなるもので、図示された部分は、バスダクト４０−１と４０−２とを接続ユニットで接続するバスダクト接続部１００の部分であり、バスダクト４０の同相の導体４２端部が相互に所定間隔をあけて付き合わされた状態で配置されている。これらの付き合わされた導体４２の端部相互の両外側面に導電性接続部材４４を接触させて電気的接続状態とし、異相導体間及び最外側の導体４２とハウジングの接続側板４６の間に絶縁セパレータ４８を設置している。そして、これら導体４２、導電性接続部材４４、絶縁セパレータ４８、接続側板４６をボルト・ナット等からなる締着具５０で締着し、バスダクト４０相互の接続部が構成されている。
【００３６】
なお、このバスダクト接続部１００の両側面（同図（Ｂ）の上下の面）には接続カバー５２が被せており、この接続カバー５２にはプラグイン分岐ボックスの分岐用プラグイン接触子を挿通させるための図示しないプラグイン開口部がもうけられている。
【００３７】
上記構成からなるバスダクトの接続ユニット１００に分岐用プラグイン接触子１０を挿入する場合、上述した被接続体として機能する部分は導体４２相互を接続する導電性接続部材４４である。そして、分岐用プラグイン接触子１０が導電性接続部材４４に接触されるスペースは、導電性接続部材４４の相互間でかつ、導体４２の付き合わされた端部相互間で、更に締着具５０が挿通されている部分を除いた範囲となる。したがって、非常に狭いスペースが分岐用プラグイン接触子１０を接触させるために与えられるスペースとなる。
【００３８】
図６、図７及び図８は、このような接触スペースにおいて、分岐用プラグイン接触子１０を用いて分岐接続を行う状態を示している。本例では、分岐用プラグイン接触子１０を３セット組み込んだプラグイン分岐ボックス６０にて分岐を行う例を示している。
【００３９】
図６に示したように、本実施例のプラグイン分岐ボックス６０には３個の分岐用プラグイン接触子１０が下方に突出するように設置されている。これを図上、下降動作（矢印方向への動作）することにより、バスダクト接続部１００の接続カバー５２に形成されたプラグイン開口部から挿入する。このとき、図８に示すように、分岐用プラグイン接触子１０の接触部１２ｂは、導電性接続部材４４相互間に挿入されることとなる。
【００４０】
図７は、プラグイン分岐ボックス６０がバスダクト接続部１００に装填された状態を示している。この状態における分岐用プラグイン接触子１０の挿入位置は、図８に詳細に示したように、つき合わされた導体４２端部相互間の空間Ｘであり、且つ締着具５０からはずれた位置である。このように、プラグイン分岐ボックス６０の装填により分岐が行われ、分岐先の各種機器に電流供給が可能となる。
【００４１】
以上のように、分岐用プラグイン接触子と被接続体との接触スペースを十分に取ることの困難なバスダクトの接続部にて分岐を行う場合、本発明に係る分岐用プラグイン接触子が特に好適である。すなわち、狭い範囲での分岐用プラグイン接触子の接触であっても、非接触部に存在する拡大部により、分岐側の大容量に起因する発熱を回避することができる。したがって、可及的に接続部の大型化、複雑化を回避したいバスダクトの接続部での分岐に極めて有効な分岐構造を与えることができる。
【００４２】
なお、上記のようにバスダクトの接続部で分岐を行う場合は、従来は接続部の幅方向（バスダクトの幅方向）を拡大し、絶縁セパレータ及び導電性接続部材の正面視面積を大きく取ることにより、導体端部よりも上方の導電性接続部材相互間に接触箇所を確保していた。本願発明に係る分岐構造によればこの様なバスダクト接続部の拡大を行う必要がなく、分岐側の大容量をも許容することができる。
【００４３】
以上、本発明の実施例について説明したが、本発明は上記実施例に限定されるものではなく、様々な拡張及び変形が可能である。例えば、上記第３実施例では３線式のバスダクトに関して説明したが、本発明に係る分岐構造は、４線式以上又は２線式以下のバスダクトであっても同様に適用することができる。また、接続部に関しては、第３実施例では同相の導体端部を突き合わせて接続する所謂突き合わせ接続について説明したが、例えばバスダクトの同相導体端部を重ね合せて接続する所謂重ね合わせ式の接続部であっても良い。
【００４４】
更に、第３実施例のバスダクトのように絶縁物を導体に被覆してなる絶縁被覆導体を積層する絶縁被覆型バスダクトに限定されるものではなく、導体相互間の距離を離間し、空気で絶縁する空気絶縁型バスダクトであっても良いことは言うまでもない。
【００４５】
また、本発明の分岐用プラグイン接触子は第１実施例及び第２実施例の構成に限定されるものではなく、少なくとも被接続体と接触する接触部と、この接触部よりも大きな断面積及び／又は断面外周長を有する拡大部を備える構成であれば全て含まれる。
【００４６】
例えば、図９（Ａ）〜（Ｃ）に示した各実施例に係る分岐用プラグイン接触子７０は１枚の略平板状からなる接触子構成板７２からなり、それぞれ、図上下端部に幅の狭い接触部７２ｂを有し、その連続する上部には拡大部７２ａが形成されている。これらの実施例は、接触部７２ｂを被接続体側に形成した差し込み可能なクリップに差し込んで接続するものであり、同図（Ａ）に係る実施例では、拡大部７２ａは正面視において幅が大きく形成され、同図（Ｂ）に係る実施例では、拡大部７２ａは側面視幅が大きく形成され、同図（Ｃ）に係る実施例では、拡大部７２ａは正面視及び側面視の双方において幅が大きく形成されている。
【００４７】
図１０は、図９（Ａ）の分岐用プラグイン接触子７０を導体８０の上部にクリップ部８２を形成してなる被接続体に装着する動作を示している。図示のように、被接続体は上部にクリップ部８２を有し、このクリップ部８２に図９（Ａ）に示した分岐用プラグイン接触子７０の接触部７２ｂを差し込んでいる。この様な構成であっても断面積、断面周囲長の小さい接触部とより大きな拡大部との関係は上述の各実施例と同様であり、小さな接触面積であっても分岐側の大きな容量に対応することができるという作用も同様である。
【００４８】
なお、この様な実施例の場合、拡大部７２ａや接触部７２ｂの断面形状は円形或いは正方形等種々の形状を取ることができ、バスダクトに限らず他の様々な機器に使用することも可能である。
【００４９】
また、空気絶縁バスダクトや絶縁バスダクトにおいて、上述した接続部ではなくバスダクト中間部で分岐を行う場合は、図１０に示すクリップ部８２を導体の側端部に形成することでそこからの分岐を上記図９に示した実施例に係る分岐用プラグイン接触子にて行うことができる。
【００５０】
また、本発明に係る分岐用プラグイン接触子は必ずしも銅製である必要はなく、アルミニウム製であっても良い。更に、接触部と拡大部とを異なる部材にて形成することも可能であり、その場合、拡大部を熱伝導率の高い部材で行うと好適である。
【図面の簡単な説明】
【００５１】
【図１】同図（Ａ）は第１実施例の分岐用プラグイン接触子の正面図、同図（Ｂ）は同図（Ａ）の右側面図、同図（Ｃ）は一方の接触子構成板に関する同図（Ａ）のＡ−Ａ断面図、同図（Ｄ）は一方の接触子構成板に関する同図（Ａ）のＢ−Ｂ断面図である。
【図２】同図（Ａ）は第１実施例の分岐用プラグイン接触子を被接続体に接触する前の右側面説明図、同図（Ｂ）は第１実施例の分岐用プラグイン接触子を被接続体に接触した状態の右側面説明図である。
【図３】同図（Ａ）は第２実施例の分岐用プラグイン接触子の正面図、同図（Ｂ）は同図（Ａ）の右側面図、同図（Ｃ）は同図（Ａ）のＡ−Ａ断面図、同図（Ｄ）は同図（Ａ）のＢ−Ｂ断面図である。
【図４】同図（Ａ）は第２実施例の分岐用プラグイン接触子を被接続体に接触する前の右側面説明図、同図（Ｂ）は第２実施例の分岐用プラグイン接触子を被接続体に接触した状態の右側面説明図である。
【図５】同図（Ａ）は第３実施例のバスダクトの接続部の一部切欠平面説明図、同図（Ｂ）は第３実施例のバスダクトの接続部の正面説明図である。
【図６】図５のバスダクトの分岐接続動作を行う前の正面説明図である。
【図７】図５のバスダクトに分岐接続動作を行った状態を示す正面説明図である。
【図８】図７の分岐用プラグイン接触子の接触箇所を示す拡大切断正面説明図である。
【図９】同図（Ａ）は第４実施例の分岐用プラグイン接触子を示す正面及び右側面図、同図（Ｂ）は第５実施例の分岐用プラグイン接触子を示す正面及び右側面図、同図（Ｃ）は第６実施例の分岐用プラグイン接触子を示す正面及び右側面図である。
【図１０】同図（Ａ）は第４実施例の分岐用プラグイン接触子を被接続体に接触させる前の状態を示す右側面説明図、同図（Ｂ）は第４実施例の分岐用プラグイン接触子を被接続体に接触状態とした状態を示す右側面説明図である。
【符号の説明】
【００５２】
１０、３０  分岐用プラグイン接触子
１２、３２  接触子構成板
１４  ばね片
１２ａ、３２ａ  拡大部
１２ｂ、３２ｂ  接触部
４０  バスダクト
４２  導体
４４  導電性接続部材
１００  バスダクト接続部
【図１】
2005229750.tif 000003
【図２】
2005229750.tif 000004
【図３】
2005229750.tif 000005
【図４】
2005229750.tif 000006
【図５】
2005229750.tif 000007
【図６】
2005229750.tif 000008
【図７】
2005229750.tif 000009
【図８】
2005229750.tif 000010
【図９】
2005229750.tif 000011
【図１０】
2005229750.tif 000012